(57)【要約】【課題】  これまで運勢を知る事はプロの占い師及び自分で書を読み研究し数１０年の経験が必要であった。更に、これまでの占いでは病気の判定及び治療法、食事療法についても、素人の通り一遍の答えが多く、真実性に欠けることが多かったが、この度は東洋医学の陰陽五行論を踏まえた実践的なプロが纏めたものである。  以上の点を解決する。誰でも、駒を置くだけで知ることの出来る用具を提供する。【解決手段】  運勢盤の空欄に生年月日から導入された該当する駒を１２ケ置く事により簡単に運勢を知ることが出来る用具。【選択図】図１
2008221819.tif 000002
【特許請求の範囲】
【請求項１】
（イ）円型の運勢盤は中央部には五行図（木、火、土、金、水）を配し、その周りには、陰陽五行説にのっとり、木には肝と胆、火には心と小腸、心包と三焦、土には脾と胃、金には肺と大腸、水には腎と膀胱を配し、更に、その周りには十二支、日、月、年、時刻、四季、一般的な宝石、方位等を配する。
（ロ）人間には生まれ付き、幸運な人、不運な人が居るので、前者を相性命、後者を超剋命と分別し、相性命に使用する駒は丸駒とし、超剋命に使用する駒は同じく運勢四角平板駒とし、駒の上には運勢の吉と凶が解るように吉は赤色、凶は黒色で現し、色の面積の大小で吉、凶の差を現し、更にオーラ（運氣）の数字の大小で吉と凶を現す。
（ハ）人間の運勢のスタートを決めるのは生年月日で、この生年月日で親からの遺伝的病位を導き出す。経絡病位早見表を作成しこれにより、現病、未病の判定が出来ると共に治療法も出来る。更に、五行システムにのっとった食事療法も可能になる。
以上の（イ）運勢盤（ロ）運勢駒（ハ）経絡病位早見表からなる五行システム運勢テスター
【発明の詳細な説明】
【技術分野】
【０００１】  人間の究極の目的は幸運と健康である。幸運は心に希望を燈し、明日の不安を取り除く事である。この二点を達成できるように東洋医学の陰陽五行論を踏まえながら解り易く判定出来るように纏めて作った「五行システム運勢テスター」である。
【背景技術】
【０００２】  自分及び身近な人の運勢を知りたいのは誰でも同じである。プロの占い師に相談すると高価であり、得られた情報もあまり満足できるものがない。しかし、自分で習得するにも書籍はあまりにも難しく困難である。いずれにしても金もかかるし、自分で簡単に占いが出来たらと思うのが当たり前である。世の中の成功者及び幸運な人はすべてオーラ（運氣）が１００ｃｍ以上であり、反面３０ｃｍ以下の人は病気であったり、定職のない人が多い。これ等を踏まえて五行システムにのっとり誰でも楽しみながら運勢盤上に駒を置くだけで出来るように発明したものである。
（オーラの測定は、特願２００６−２７３４７３号の氣ラジテスターによる）
【発明の開示】
【発明が解決しようとする課題】
【０００３】  そのためには、次のような問題点があった。
（イ）未来を知る事が簡単なシステムで出来ないものか工夫してきたが、今の所、市場及び書物の中にも見た事はない。
（ロ）古人は長い経験の中で自然の動きを観察して、私達の住んでいる地球は天と地から出来ている事を創造した。地は木火土金水（五行）からなり、これが四季により、木は火を生み、火は土を生み、土は金属を生み、金属は水を生み、水は木を生んでいる。一方、天は五氣からなり四季を生み、寒気は冬を生み、風気は春を生み、暑気は夏を生み、湿気は残暑を生み、燥気は秋を生んでいる。
（ハ）植物は天と地の間にあり、四季の影響により生かされている。冬は眠り、春に芽と葉を出し、夏に実を結び、秋に収穫し、再び冬に眠る。これが自然界の普遍の営みである所から、このシステムを基本として運勢盤として作った。
（ニ）人間は四季に関係なく生まれるので、植物の消長とは必ずしも一致しないが、植物の成長過程の中に人間の消長を発見した。
（ホ）人間は母の子宮の中で芽生え、呱々の声をあげ、その月と前後の３ヶ月を四季で言う冬期と考え、その後の月を３区分し、春期、夏期、秋期として人間の運勢盤とした。
（ヘ）早見表で生年月日から病位を選び（ハ）で出来た運勢盤の中から同じ病位を見つけ、放射線上にある丸い空欄に運勢駒を１から右廻りに１２番まで置く。駒の上には赤黒の面積の大小を作り、更に吉凶の文字で運勢の良し悪しを解るようにした。
（ト）運勢盤の核となる中央には、五行を配置し、人間の健康と病氣の治療が出来るように木には肝と胆、火には心、小腸（君火）、心包、三焦（相火）、土には脾と胃、金には肺と大腸、水には腎と膀胱を配置し、陰陽五行説を関連付け、理論的にも実践的にも、健康と幸運がかなえられるように作成した。
（チ）運勢盤を見る時、運命には二つに大別出来る。これは相性命と超剋命である。前者は周囲から祝福されて生まれた人、後者は祝福されず生まれて来た人である。これは正反対の運勢を歩む人手ある。
相性命は７６％を占め、超剋命は２４％を占めると考えられる。相性命は自分の干支が病位の放射線上にない人、ある人が超剋命。
【課題を解決するための手段】
【０００４】（イ）人間の運勢を予測すること自体が難しい事であるが、同じ生物である植物の消長を見る以外に参照するものがないので、四季の変化に忠実に生きている姿を鏡として、これに学びこれを基準として運勢の基盤を作った。
（ロ）人間の運勢は個人々々誕生日が異なるので植物との運命周期とは異なるが、誕生の月の前後３ヶ月を人間の冬期間とし、その後の３ヶ月を春期間、更に３ヶ月を夏期間とし、最後の３ヶ月を秋期間として、植物の四季の変動と比較しながら運勢を比較するようにした。
（ハ）さらに人間も運勢を大別する必要を痛感する。幸運な人と、不運な人があり、前者を相性命、後者を超剋命とする。相性命は両親の愛情を受けて育った人、超剋命は親の愛情を受けずに育った人である。
【発明の効果】
【０００５】  本発明は、誰でも手順を踏めば簡単に自分及び人の未来を予測出来る。主に、運命、結婚、方位、合う宝石、健康に良い食物、病気の予測、簡単な治療法、自分及び他人の性質、適職、魅力を引き出す色、家相、などの多岐に渡り夢と希望を与える。
【発明を実施するための最良の形態】
【０００６】  以下、本発明の実施の形態を説明する。
（イ）円型の運勢盤（１）を設ける。
（ロ）運勢駒には、相性命用の木製円柱丸駒（２）と超剋命用の木製四角平板駒（５）それぞれ１２個を設ける。
（ハ）生年月日から病位と十二支を知る、経絡病位早見表（６）を一冊備える。
る。
（ニ）取扱説明書（７）を一冊備える。
本発明は、以上の構成よりなっている。
本発明を使用する時は・・・
（イ）経絡病位早見表（６）で、判定者の生年月日から病位と干支を知る。例えば、平成１１年３月２３日生まれ、肺経と卯（遺伝的なもの）
（ロ）運命を知る時は、相性命か超剋命に分ける。
（ハ）円型運勢盤（１）を見て、自分の病位の位置を確認して、放射線上の枠外に自分の干支があれば、相性命、枠内にあれば超剋命である。
（ニ）円型運勢盤（１）上の丸い空欄に、相性命の人は丸駒（２）の１番を置き、右廻りに順番良く、１２番札まで駒をおく。
（ホ）運勢の判定
▲１▼丸駒（２）及び平板駒（５）の表面には吉は赤色、凶は黒色として、量の大小により、更に運の大きさを決めるようにした。
▲２▼運勢は更にオーラの数字（３）を吉及び凶の文字の右側に記入し、赤文字の数字で５〜１０５で表現し、５０以上は吉、以下は凶とした。
▲３▼一般人の平均的オーラは、５０〜６０が多いので、これを中心に吉と凶を数字で現すと次の通りである。（氣ラジテスターで測定）
最大吉（１００−１０５）、大吉（７０−７５）、吉（５０−６０）、最大凶（５）、大凶（１０）、中凶（２５）、小凶（３０−４０）
▲４▼オーラは運氣及び氣力を現し、体を包む氣層の大きさで現す。（オーラ１０ｃｍ以下は重症な病人が多く、１００ｃｍ以上は幸運を現す）
【図面の簡単な説明】
【０００７】
【図１】本発明の運勢盤の正面図
【図２】本発明の丸駒の斜視図
【図３】本発明の丸駒の使用状態を示す平面図
【図４】本発明の四角平板駒の斜視図
【図５】本発明の四角平板駒の使用状態を示す平面図
【図６】本発明の経絡病位早見表の正面図
【図７】本発明の取扱説明書の正面図
【符号の説明】
【０００８】  １．円型運勢盤
２．円柱丸駒
３．オーラの量表示
４．数字（駒の置く順位）
５．四角平板駒
６．経絡病位早見表
７．取扱説明書
８．吉と凶の表示
９．色（赤と黒）の量表示
【図１】
2008221819.tif 000003
【図２】
2008221819.tif 000004
【図３】
2008221819.tif 000005
【図４】
2008221819.tif 000006
【図５】
2008221819.tif 000007
【図６】
2008221819.tif 000008
【図７】
2008221819.tif 000009